(57)【要約】【課題】氷雪路面や夜間等の足下の悪い場所での歩行を補助するための器具である滑り止め具や照明灯を簡易的な操作により使用可能とした歩行補助用具を提供すること。【解決手段】中空軸である外管部２０と、外管部２０の上端に接続された把手部１０と、外管部２０の下端に接続された滑り止め部３０とを備え、外管部２０の軸内に設けられた滑り止め部操作手段によって、前記滑り止め部の底面部３０ａより外管部２０の軸方向にピック３１の上下動がなされる。【選択図】図１
0003135015.tif 000002
【実用新案登録請求の範囲】
【請求項１】
歩行補助用具であって、
中空軸である外管部（２０）と、該外管部の上端に接続された把手部（１０）と、該外管部の下端に接続された滑り止め部（３０）とを備え、
前記外管部の軸内に設けられた滑り止め部操作手段によって、前記滑り止め部の底面部（３１ａ）より該外管部の軸方向にピック（３１）の上下動がなされることを特徴とする歩行補助用具。
【請求項２】
前記滑り止め部操作手段は、中空軸である前記外管部が有する長さよりも短く該外管部の軸内に挿通され軸方向に進退自在に設置された内管部（２１）と、前記内管部の上端に一方の外縁を引っかけるように接続された内管ガイド（１３）と、前記内管部の下端に一方の外縁を引っかけるように接続されたピック固定ガイド（３２）と、前記内管ガイドに設置され軸方向に加わる力によって圧縮される圧縮部材（１２）と、前記ピック固定ガイドに一方が留め具により着脱自在に固定されたピック（３１）と、前記外管部上部に軸方向に略直角でかつ上下動可能に設置されたレバーブラケット（４１）と、前記レバーブラケットに回動自在に設置された操作レバー（４０）と、前記内管部と前記外管部を貫通するように設けられた第１の係止孔（４３ａ）と、該第１の係止孔より下方に設置された第２の係止孔（４４ａ）と、前記第１の係止孔又は前記第２の係止孔の少なくともどちらか一方にノッチ（４３，４４）が係合することで前記内管部の動きを阻止し固定する内管部固定手段とを備え、
前記把手部を持った状態で前記操作レバーに指を掛け同時に握り込むことで、前記第１の係止孔の前記ノッチの係合が外れ、前記レバーブラケットにより前記外管部の軸方向へ前記内管部が引き上げられることを特徴とする請求項１に記載の歩行補助用具。
【請求項３】
前記ピック（３１）は、一方の端に突出する突き刺し刃（３１ａ）を少なくとも１本以上有することを特徴とする請求項１又は２に記載の歩行補助用具。
【請求項４】
前記把手部（１０）は内部に、電源（５０，５０ａ）と、該電源からの電力供給を操作するスイッチ（５１）と、前記把手部の内部の一端に少なくとも１つの照明灯を有する照明灯ボックス（５２ａ）とを備えたことを特徴とする請求項１乃至３のいずれか一に記載の歩行補助用具。
【請求項５】
前記把手部（１０）は、少なくとも長手方向に分断された２片を組み合わせて構成されており、一方の片の側面と他方の片の側面をタップネジ（１４）により着脱自在に嵌合されることを特徴とする請求項４に記載の歩行補助用具。
【請求項６】
中空軸である松葉杖椀部（６０）と、前記松葉杖椀部の上端が軸方向に略直角に形成された腋当て部（６１）と、前記松葉杖椀部より軸方向に直角でかつ前記腋当て部と略水平に突き出た把手部接続部（６２）とを備え、
前記把手部の一方の端に係止部（１０ａ）を設けることで、該係止部と前記把手部接続部を係合し、更に前記松葉杖椀部の下端を前記外管部に固定したことを特徴とする請求項１又は２に記載の歩行補助用具。
【請求項７】
前記松葉杖椀部（６０）と前記腋当て部（６１）と前記把手部接続部（６２）とは一体構造を成していることを特徴とする請求項６に記載の歩行補助用具。
【請求項８】
前記松葉杖椀部（６１）は、少なくとも１つの照明灯を有する照明灯ボックス（５２ａ）を備えたことを特徴とする請求項５乃至７のいずれか一に記載の歩行補助用具。
【考案の詳細な説明】
【技術分野】
【０００１】
本考案は、足下の悪い場所での歩行を補助するための器具を簡易的な操作により使用可能とした歩行補助用具に関するものである。
【背景技術】
【０００２】
病気や事故等で身体に障害を持った人あるいは高齢や病後等で足腰の弱った人（以下、歩行困難者という）は、その困難の程度等に応じて、杖や松葉杖等を歩行補助用具として用いている。そして、従来より、これらの杖の先端には通常ゴム製の石突と呼ばれる滑り止め具が装着されている。
【０００３】
このようなゴム製の石突は、乾いた路面やタイル、コンクリ等の床面で使用する場合には滑り止めとして機能するが、冬季の氷雪路面や土等の斜面等ではほとんど機能せず危険であるといった問題がある。
また、夜間の外出や薄暗い場所等での歩行は、足下や行先の状況を把握しにくいため、昼間の歩行に比べて相当な危険を伴うといった問題がある。
【０００４】
前述したような問題を解決するため、氷雪路面等用の滑り止め用具として、特許文献１では杖本体の先端にその軸方向に突出する複数の部分刃である突き刺し刃を有し、不使用時には突き刺し刃全体を保護カバーで覆うといったものが提案されている。また、特許文献２では、上面開放の弾性円筒体の底面部に複数の突き刺し刃を有し、使用時にのみ杖本体の先端に着脱自在に嵌め合わして装着するといったものが提案されている。
一方で、夜間等の暗がりにおける歩行の安全を確保するため、足下の状況を把握する用具として、特許文献３では、杖本体の把手部又は柄部に着脱自在に装着できる簡易照明灯が提案されている。
【特許文献１】特開２００１−３２１２１１号公報
【特許文献２】特開２０００−３００３１７号公報
【特許文献３】特開２００１−２５２１１７号公報
【考案の開示】
【考案が解決しようとする課題】
【０００５】
しかしながら、杖本体の先端に滑り止め用の突き刺し刃を有しているものや脱着自在に取り付けている場合、不使用時にはそれを保護カバーで覆ったり、脱着するといった手間が掛かり、手先の覚束ない人等にとっては不便である。また、氷雪路面等以外の場所、例えば屋内や屋根の敷設されたアーケード等で突き刺し刃が不要な場所では、杖先端の切り替えがスムーズではないため、杖をそのまま持ち込まなければならない。その結果、床面や路面を傷つけてしまったり、反対に突き刺し刃が床面や路面で滑ってしまい転倒するといった危険性が生じる。
また、夜間等に足下を照明する着脱自在の簡易照明灯は、装着に手間が掛かり、不使用時には杖本体から照明灯本体が突出していることから、杖を立てかける場合などには邪魔になりやすいという問題があった。  
【０００６】
本考案は、以上のような問題点に鑑みなされたもので、氷雪路面や夜間等の足下の悪い場所での歩行を補助するための器具である滑り止め具や照明灯を簡易的な操作により使用可能とした歩行補助用具を提供することを目的とする。
【課題を解決するための手段】
【０００７】
上記目的を達成するために、本考案は以下の構成を提供する。
請求項１に係る本考案は、中空軸である外管部と、該外管部の上端に接続された把手部と、該外管部の下端に接続された滑り止め部とを備え、前記外管部の軸内に設けられた滑り止め部操作手段によって、前記滑り止め部の底面部より該外管部の軸方向にピックの上下動がなされることを特徴とする歩行補助用具特徴とする。
【０００８】
請求項２に係る本考案は、請求項１に記載の歩行補助用具であって、前記滑り止め部操作手段は、中空軸である前記外管部が有する長さよりも短く該外管部の軸内に挿通され軸方向に進退自在に設置された内管部と、前記内管部の上端に一方の外縁を引っかけるように接続された内管ガイドと、前記内管部の下端に一方の外縁を引っかけるように接続されたピック固定ガイドと、前記内管ガイドに設置され軸方向に加わる力によって圧縮される圧縮部材と、前記ピック固定ガイドに一方が留め具により着脱自在に固定されたピックと、前記外管部上部に軸方向に直角でかつ上下動可能に設置されたレバーブラケットと、前記レバーブラケットに回動自在に設置された操作レバーと、前記内管部と前記外管部を貫通するように設けられた第１の係止孔と、該第１の係止孔より下方に設置された第２の係止孔と、前記第１の係止孔又は前記第２の係止孔の少なくともどちらか一方にノッチが係合することで前記内管部の動きを阻止し固定する内管部固定手段とを備え、前記把手部を持った状態で前記操作レバーに指を掛け同時に握り込むことで、前記第１の係止孔の前記ノッチの係合が外れ、前記レバーブラケットにより前記外管部の軸方向へ前記内管部が引き上げられることを特徴とする。
【０００９】
請求項３に係る本考案は、請求項１又は２に記載の歩行補助用具であって、請求項１又は２に記載の歩行補助用具であって、前記ピックは、一方の端に突出する突き刺し刃を少なくとも１本以上有することを特徴とする。
【００１０】
請求項４に係る本考案は、請求項１乃至３のいずれか一に記載の歩行補助用具であって、前記把手部は内部に、電源と、該電源からの電力供給を操作するスイッチと、前記把手部の内部の一端に少なくとも１つの照明灯を有する照明灯ボックスとを備えたことを特徴とする。
【００１１】
請求項５に係る本考案は、請求項４に記載の歩行補助用具であって、前記把手部は、少なくとも長手方向に分断された２片を組み合わせて構成されており、一方の片の側面と他方の片の側面をタップネジにより着脱自在に嵌合されることを特徴とする。
【００１２】
請求項６に係る本考案は、請求項１又は２に記載の歩行補助用具であって、中空軸である松葉杖椀部と、前記松葉杖椀部の上端が軸方向に略直角に形成された腋当て部と、前記松葉杖椀部より軸方向に直角でかつ前記腋当て部と略水平に突き出た把手部接続部とを備え、前記把手部の一方の端に係止部を設けることで、該係止部と前記把手部接続部を係合し、更に前記松葉杖椀部の他方の端を前記外管部に固定したことを特徴とする。
【００１３】
請求項７に係る本考案は、請求項６に記載の歩行補助用具であって、前記松葉杖椀部と前記腋当て部と前記把手部接続部とは一体構造を成していることを特徴とする。
【００１４】
請求項８に係る本考案は、請求項５乃至７のいずれか一に記載の歩行補助用具であって、前記松葉杖椀部は、少なくとも１つの照明灯を有する照明灯ボックスを備えたことを特徴とする。
【考案の効果】
【００１５】
本考案によれば、氷雪路面や夜間等の足下の悪い場所での歩行を補助するための器具である突き刺し刃等を有する滑り止め具や簡易照明灯を簡易的な操作により使用可能とした歩行補助用具を提供することができる。
【００１６】
請求項１に係る歩行補助用具は、外管部が中空軸であることから、その軸内に滑り止め部操作手段を設けることを可能とし、これにより、滑り止め部の底面部より外管部の軸方向にピックの上下動を行うことを可能としている。
【００１７】
請求項２に係る歩行補助用具は、前記滑り止め部操作手段として、中空軸である外管部が有する長さよりも短く外管部の軸内に挿通され進退自在に設置された内管部と、この上端に一方の外縁を引っかけるように接続された内管ガイドと、また、下端に一方の外縁を引っかけるように接続されたピック固定ガイドと、内管ガイドに設置され軸方向に加わる力によって圧縮される圧縮部材と、前記ピック固定ガイドに一方が留め具により着脱自在に固定されたピックと、前記外管部上部に軸方向に直角でかつ上下動可能に設置されたレバーブラケットと、前記レバーブラケットに回動自在に設置された操作レバーと、前記内管部と前記外管部を貫通するように設けられた第1の係止孔と、該第1の係止孔より下方に設けられた第２の係止孔と、前記第1の係止孔又は前記第２の係止孔の少なくともどちらか一方にノッチが係合することで前記内管部の動きを阻止し固定する内管部固定手段とを備える。
【００１８】
このような構成を備えているので、把手部を持った状態で操作レバーに指を掛け同時に握り込むことで、第1の係止孔の前記ノッチの係合が外れ、レバーブラケットにより外管部の軸方向へ内管部が引き上げられるという一連の簡易的な動作によりピックの収納を可能としている。
【００１９】
請求項３に係る歩行補助用具は、ピックの一方の端に突出する突き刺し刃を少なくとも１本以上有するので、氷雪路面でも容易に突き刺し、歩行の安定を確保することが可能である。
【００２０】
請求項４に係る歩行補助用具は、把手部の内部に、電源と、該電源からの電力供給を操作するスイッチと、前記把手部の内部の一端に少なくとも１つの照明灯を有する照明灯ボックスとを備えていることから、スイッチのＯＮ又はＯＦＦのみで容易に照明灯の点灯又は消灯を可能としている。更に、照明灯によって足下を照らすことで、夜間等の外出の際、足下の状況を容易に把握でき、また、路上では対向車に対して利用者の存在を知らしめる安全灯としての効果が期待できるので、暗がりでの利用者の安全を確保することが可能となる。
【００２１】
請求項５に係る歩行補助用具は、把手部が少なくとも長手方向に分断された２片を組み合わせて構成され、一方の片の側面と他方の片の側面をタップネジにより着脱自在に嵌合されていることから、把手部内部に備えられた電源である電池の交換を可能としている。また、これにより、照明灯に関する装置が故障した場合でも、容易に修理することが可能である。
【００２２】
請求項６に係る歩行補助用具は、中空軸である松葉杖椀部と、その上端が軸方向に略直角に形成された腋当て部と、それより軸方向に直角でかつ前記腋当て部と水平に突き出た把手部接続部とを備え、把手部の一方の端に係止部を設けることで、これと把手部接続部を係合し、更に前記松葉杖椀部の下端を前記外管部に固定している。これにより、杖の形態だけでなく、松葉杖の形態としても本考案における歩行補助用具を提供することを可能としている。
【００２３】
請求項７に係る歩行補助用具は、前記松葉杖椀部と前記腋当て部と前記把手部接続部とは一体構造を成していることから、把手部に設置された電源とスイッチを松葉杖椀部に設置された照明灯ボックスとをリード線を通して接続することを可能とし、また、松葉杖椀部の製作工程を簡素化し、その製作を容易にしている。
【００２４】
請求項８に係る歩行補助用具は、松葉杖椀部に少なくとも１つの照明灯を有する照明灯ボックスを備えていることから、杖の形態だけでなく、松葉杖の形態としても本考案における歩行補助用具を提供することを可能としている。
【考案を実施するための最良の形態】
【００２５】
以下、本考案に係る歩行補助用具を実施するための最良の形態を図面を参照して具体的に説明する。
図１及び図２は、本考案における第１実施例の実施形態の構成を説明する図である。図１は全体の正面図を、図２は底面図を示している。
【００２６】
図１において、第１実施例の本体１Ａは、中空軸である外管部２０と、この上端に接続された側面が略Ｔ字型の把手部１０と、下端に接続された滑り止め部３０を備えており、それぞれが外管部２０の上端又は下端に嵌め込まれて連結されている。
外管部２０は、その軸内に滑り止め部操作手段が備えられている。また、その長さは、使用者に応じて適宜決定される。例えば、一般的に用いられる杖は、足先より１５ｃｍほど外側に杖先を置いて肘を軽く曲げた状態で杖を持つ方の肩が軽く持ち上がる程度の長さに調節されている。
【００２７】
滑り止め部３０は、略円錐形に形成されており、少なくとも外管部２０の有する径より底面部３０ａの径を大きくすることで、本体１Ａを地面に突いた際、安定性を確保することが可能である。また、滑り止め部３０の内部には緩衝座３３を有している。これにより、外管部２０の端がここで固定され、これ以上深く嵌め込まれることを防止したり、杖を地面に突いた際の衝撃を和らげ、利用者の手や腕に加わる衝撃を軽減することが可能である。
【００２８】
図２において、外管部２０に備えられた滑り止め部操作手段によって底面部３０ａより外側へ外管部２０の軸方向にピック３１の上下動がなされる。
ここで、それぞれの部材に用いる素材として、外管部２０にはチタンやアルミ、カーボン等の金属を、把手部１０には、ゴムや木、合成樹脂等を、滑り止め具３０にはゴム等の弾性材を用いることが好適であるが、この限りではない。
【００２９】
図３、図４及び図５を用いて滑り止め部操作手段について説明をする。図３は図１のＡ−Ａ'線切断部断面図を、図４は本考案の第１実施例におけるピック使用時の構成を説明する一部破断正面断面図を、図５は本考案の第１実施例におけるピック収納時の構成を説明する一部破断正面図をそれぞれ示している。
【００３０】
図４又は図５において、滑り止め部操作手段は、中空軸である内管部２１と、内管部上縁２１ａに一方の外縁を引っ掛けるように接続された内管ガイド１３と、内管部下縁２１ｂに一方の外縁を引っ掛けるように接続されたピック固定ガイド３２と、外管部２０に設置されたレバーブラケット４１と、これに回動自在に設置された操作レバー４０とから構成されている。そして、内管部２１の内部には内管部固定手段を備えている。
【００３１】
内管部２１は、外管部２０が有する長さよりも短く、この内部を挿通可能な径を有している。そして、外管部２０の軸内に挿通され進退自在に設置される。内管部２１に使用される素材としては、外管部２０と同一のものを採用することが好適であるが、この限りではない。
【００３２】
内管ガイド１３は凹型に形成されており、その上部には軸方向に加わる力によって圧縮される圧縮部材であるスプリング１２を有している。ここでは圧縮部材としてスプリングを採用しているが、この限りではなく、これに代わる圧縮部材、例えば、空気圧や油圧を用いたものを採用してもよい。
【００３３】
ピック固定ガイド３２は、その内部に一方が留め具３１ｃにより着脱自在に固定されたピック３１を少なくとも１本以上有している。ピック３１は複数本有することもでき、歩行補助具が主に使用される路面状況に応じてその数を決定することが可能である。
また、ピック３１の先端に突き出た突き刺し刃３１ａは、少なくとも１本以上の刃を有しているので、氷雪路面や舗装されていない路面等を上部から突き刺すことで確実に捉えることが可能である。
更に、ピック３１は着脱自在にピック固定ガイド３２に固定されているので、突き刺し刃３１ａが破損してしまった場合等には、容易に別のものと交換することが可能である。
【００３４】
図３に示すように、レバーブラケット４１は、外管部２０の上部に配置され、レバーガイド溝２２を通して内管部２１の外側に軸方向に略直角に留め具４２によって固定される。そして、このレバーガイド溝２２により、レバーブラケット４１が軸方向に動作することが可能となる。
【００３５】
ここで、内部固定手段について説明する。
外管部２０と内管部２１は、各々の外側を内側から貫通する開口部である第1の係止孔４３ａ及び第２の係止孔４４ａを有している。これらの係止孔は外管部２０及び内管部２１の上部に設置され、第２の係止孔４４ａは第1の係止孔４３ａよりも下方に設けられている。そして、内管部２１内には各々の係止孔付近にノッチ４３及び４４がノッチ固定スプリング４６及び４７によって設置されている。
第1の係止孔４３ａ又は第２の係止孔４４ａにノッチ４３又は４４が係合されることで、その動きが阻止され内管部２１は外管部２０と固定されるのである。
【００３６】
次に、第１実施例の動作について図４及び図５を用いて説明する。
図４において、ピック３３が底面部３０ａより外部へ突き出ている状態を示している。この場合、第1の係止孔にノッチ４３が係合し、一方の第２の係止孔のノッチ４４の係合が外れている状態であり、内部固定手段により内管部２１が固定されている。
【００３７】
把手部１０を持った状態で、その手の指を操作レバー４０に掛けて、操作レバー４０を軸方向に略直角にする。これにより、操作レバー４０でノッチ４３が内管部２１の内部に押し込まれて係合が外れ、内部固定手段が解除される。そして、操作レバー４０に指をかけたままの状態で把手部１０を握り込み、レバーブラケット４１を軸方向に引き上げる。この時、内管ガイド１３の上部に設置されたスプリング１２は、軸方向に加わる力によって圧縮される。これで、内管部２１が引き上げられ、同時にピック３１は、滑り止め部３０内部に設けられたピックガイド３４に収められる。そして、第２の係止孔にノッチ４４が係合されることで、再び内部固定手段により内管部２１固定される。
【００３８】
図５において、ピック３３がピックガイド３４に収められている状態を示している。この場合、第２の係止孔にノッチ４４が係合し、一方の第1の係止孔のノッチ４４の係合は外れている状態であり、内部固定手段により内管部２１は固定されている。
ノッチ４４を指で押し込むことで内部固定手段が解除される。それと同時に、スプリング１２は軸方向に加わる力から開放され、逆に圧縮された状態から元の状態に戻ろうとする力が軸方向に加わる。これにより、内管部２１は押し下げられ、同時にピック３１は底面部３０ａより外部へ突き出る。そして、第1の係止孔にノッチ４３が係合し、一方の第２の係止孔のノッチ４４の係合が外れている状態となり、再び内部固定手段により内管部２１が固定される
【００３９】
このように、引き上げる又は押し込むといった非常に簡易的な操作によりピック３１の滑り止め部３０より外部への出し入れを容易に行うことが可能である。また、この作業は片手ですばやく行えることから、両手を塞がれることなくバランスが保てるので、これによって利用者の安全性が脅かされることはない。
したがって、滑り止め具を必要とする氷雪路面等ではピック３１使用し、必要としない屋内等の場所ではすばやくこれを収納し、通常のピック３１を有さない杖同様に使用することが可能である。
【００４０】
ここで、第２の係止孔を覆うように外管部２０の外側にノッチカバー４５を図示しているが、この限りではない。ただし、このノッチカバー４５はゴムやシリコン等のやわらかい素材を採用しており、この上からノッチ４４を押し込むことができ、これを設けることで、より簡単に係合を外すことが可能となる。また、第２の係止孔４４ａの辺で指等を傷つけることを防止する効果も期待できる。
【００４１】
図６は、本考案における第２実施例の実施形態の構成を説明する要部拡大正面断面図である。第２実施例の本体１Ｂは、第１実施例の本体１Ａの把手部１０の内部に、足下の所要範囲を照らす少なくとも１つの照明灯（５２）を備えている。
【００４２】
把手部１０は、少なくとも長手方向に分断された２片を組み合わせて構成されており、一方の片の外側側面と他方の片の外側側面をタップネジ１４により着脱自在に嵌合されている。そして、その内部には、電源となるバッテリー５０ａを有するバッテリーボックス５０と、電源からの電力供給を操作するスイッチ５１と、少なくとも１つの照明灯５２を有する照明灯ボックス５２ａを備えている。
【００４３】
スイッチ５１は、把手部１０の上部外面にその操作部が現れるように設置され、照明灯ボックス５２ａは、把手部１０の一端でその凹部が外側の斜下方向を向き、照明灯５２が足下の所要範囲を照らすことが可能な位置に設置される。
【００４４】
ここで、照明灯ボックス５２ａの開放部を外側から覆うように照明灯カバー５２ｂが図示されているが、この限りではない。ただし、照明灯カバー５２ｂを設けることで、照明灯５２を外部の衝撃から保護したり又ここからの雨水等の侵入を防いだりする効果が期待できる。照明灯カバー５２ｂには、透明で照明灯５２の光を透過させる素材、例えば、合成樹脂やガラス等を採用することが好適であるが、この限りではない。
【００４５】
スイッチ５１とバッテリーボックス５０とはリード線５１ｂによって接続されている。
そして、照明灯ボックス５２ａは、リード線５１ｂによりバッテリーボックス５０及びスイッチ５１と接続されている。
これにより、スイッチ５１をＯＮ又はＯＦＦすることで、バッテリーボックス５０が有するバッテリー５０ａから照明灯ボックス５２ａが有する照明灯５２への電力供給を操作することが可能となる。
また、バッテリー５０ａの交換が必要な場合には、タップネジ１４を外すことで把手部１０が簡単に分離できることから、この交換を容易に行うことが可能である。
【００４６】
このような構成を成すことで、握手部１０を握ったままスイッチ５１を簡単に操作でき、照明灯５２ａにより足下の所要範囲を照らすことが可能となり、夜間等の暗がりにおける歩行の安全を確保することができる。更に、照明灯を点灯することで、夜間等の路上において対向車へ歩行者の存在を知らせる安全灯の役目も同時に果すことが可能となる。
【００４７】
図７は、本考案における第３実施例の実施形態の構成を説明する正面図である。本実施例は、第１実施例の本体１Ａに松葉杖椀部６０を備えている。
第３実施例の本体２Ａは、中空軸である松葉杖椀部６０と、その一方の端が軸方向に直角に形成された腋当て部６１と、これより軸方向に直角でかつ腋当て部６１に略水平に突き出た把手部接続部６２を備えている。ただし、こられの要素はすべて一体構造を成している。
【００４８】
腋当て部６１はその上部に腋枕６１ａを有しており、把手部１０に水平で、これより長さを有している。腋枕６１ａを有することで、腋当て部６１が直接利用者の腋に当たることを防ぐことを可能とする。
把手部接続部６２は、把手部１０の一方の端に設けられた係止部１０ｂに係合し固定されている。そして、松葉杖椀部６０の下端である外管部接続部６０ａと外管部２０が接続され固定されている。この接続の方法としては、溶接等が好適であるがこの限りではない。
【００４９】
ここで、松葉杖椀部６０には、第１実施例の本体１Ａと同等の素材を用いることが好適であるが、この限りではない。また、この長さは、利用者に合わせ適宜決定される。例えば一般的には、利用者が直立した状態で腋の下と腋枕６１ａとの間に指が３又は４本程度入る長さに調整されている。これにより、片腕だけでなく、椀部全体で体を支えなければならない歩行困難者にも第１実施例で示した効果を提供することが可能である。
【００５０】
図８は、本考案における第４実施例の実施形態の構成を説明する要部拡大正面断面図である。第４実施例の本体２Ｂは、第２実施例の本体１Ｂに第３実施例を備えたものである。
照明灯ボックス５２ａは、少なくとも１つの照明灯５２を有し、松葉杖椀部６０の内部に備えられ、把手部接続部６２より下部で開放部が外側に向けられて設置されている。尚、スイッチ５１及びバッテリーボックス５０は、第２実施例の本体１Ｂとほぼ同等の設置位置である。
【００５１】
松葉杖椀部６０は中空軸であり、一体構造を成していることで、本実施例の照明灯ボックス５２ａと把手部１０に設置されたバッテリーボックス５０とスイッチ５１との接続がリード線５１ｂにより可能となる。
これにより松葉杖を利用する歩行困難者にも第２実施例で示した効果を提供することが可能である。
【００５２】
尚、本考案は、杖の利用者や松葉杖の利用者である歩行困難者を対象とした歩行補助用具としているが、この限りではなく、第１実施例及び第２実施例は山登り等で使用するウォーキングステッキ等に転用することも可能である。
【図面の簡単な説明】
【００５３】
【図１】本考案における第１実施例の実施形態の構成を説明する全体の正面図である。
【図２】本考案における第１実施例の実施形態の構成を説明する底面図である。
【図３】図１のＡ−Ａ'線切断部断面図である。
【図４】本考案の第１実施例におけるピック使用時の構成を説明する一部破断正面断面図である。
【図５】本考案の第１実施例におけるピック収納時の構成を説明する一部破断正面図である。
【図６】本考案における第２実施例の実施形態の構成を説明する要部拡大正面断面図である。
【図７】本考案における第３実施例の実施形態の構成を説明する正面図である。
【図８】本考案における第４実施例の実施形態の構成を説明する要部拡大正面断面図である。
【符号の説明】
【００５４】
１Ａ  第１実施例の本体
１Ｂ  第２実施例の本体
２Ａ  第３実施例の本体
２Ｂ  第４実施例の本体
１０  把手部
１０ａ  係止部
１１  外管部上部
１２  圧縮部材
１３  内管ガイド
１４  タップネジ
２０  外管部
２１  内管部
２１ａ  内管部上縁
２１ｂ  内管部下縁
２２  レバーガイド溝
３０  滑り止め部
３０ａ  底面部
３１  ピック
３１ａ  突き刺し刃
３１ｂ  ピック後端
３１ｃ、４２  留め具
３２  ピック固定ブロック
３３  緩衝座
３４  ピックガイド
４０  操作レバー
４１  レバーブラケット
４３、４４  ノッチ
４３ａ  第１の係止孔
４４ａ  第２の係止孔
４５  ノッチカバー
４６、４７  ノッチ固定スプリング
５０  バッテリーボックス
５０ａ  バッテリー
５０ｂ  リード線
５１  スイッチ
５２  照明灯
５２ａ  照明灯ボックス
５２ｂ  照明灯カバー
６０  松葉杖椀部
６０ａ  外管接続部
６１  腋当て部
６１ａ  腋枕
６２  把手部接続部
【図１】
0003135015.tif 000003
【図２】
0003135015.tif 000004
【図３】
0003135015.tif 000005
【図４】
0003135015.tif 000006
【図５】
0003135015.tif 000007
【図６】
0003135015.tif 000008
【図７】
0003135015.tif 000009
【図８】
0003135015.tif 000010